(57)【要約】【課題】撮影された画像に人物の顔が含まれているか否かの判別に、ユーザによる判別を反映させること。【解決手段】撮像装置１は、顔検出処理部５２と、通信制御部５７・画像処理部５６と、を備える。顔検出処理部５２は、ユーザによる撮影の実行を伴わない所定の操作が検出された時点で、撮像部１６−１により取得される撮像画像内に、人物の顔が検出されているか否かを判別する。通信制御部５７・画像処理部５６は、撮影が実行されたことを契機として、顔検出処理部５２による判別結果に応じて、撮影された画像に異なる処理を実行する。【選択図】図３
2017135453.tif 000002
【特許請求の範囲】
【請求項１】
ユーザによる撮影の実行を伴わない所定の操作が検出された時点で、撮像手段により取得される撮像画像内に、人物の顔が検出されているか否かを判別する判別手段と、
撮影が実行されたことを契機として、前記判別手段による判別結果に応じて、撮影された画像に異なる処理を実行する実行手段と、
を備えることを特徴とする撮像装置。
【請求項２】
前記実行手段は、前記撮影が実行されたことを契機として、前記判別手段により、ユーザによる前記所定の操作が検出された時点で、人物の顔が検出されていると判別された場合に、前記撮影された画像を人物の顔が検出されている画像とした処理を実行する一方、判別されなかった場合に、当該撮影された画像を人物の顔が検出されていない画像とした処理を実行する、
ことを特徴とする請求項１に記載の撮像装置。
【請求項３】
前記実行手段は、前記撮影が実行されたことを契機として、前記判別手段により、ユーザによる前記所定の操作が検出された時点で、人物の顔が検出されていると判別された場合に、前記撮影された画像を他の装置に送信する処理を実行する一方、判別されなかった場合に、当該撮影された画像を当該他の装置に送信する処理を実行しない、
ことを特徴とする請求項２に記載の撮像装置。
【請求項４】
前記実行手段は、前記撮影が実行されたことを契機として、前記判別手段により、ユーザによる前記所定の操作が検出された時点で、人物の顔が検出されていると判別された場合に、前記撮影された画像に対して人物の顔を美化する画像処理を実行する一方、判別されなかった場合に、当該撮影された画像に対して当該人物の顔を美化する画像処理を実行しない、
ことを特徴とする請求項２又は３に記載の撮像装置。
【請求項５】
半押し操作と全押し操作とが可能な操作手段を、更に備え、
前記判別手段は、ユーザによる前記操作手段の前記半押し操作が検出された時点で、前記撮像画像内に、人物の顔が検出されているか否かを判別し、
前記実行手段は、ユーザによる前記操作手段の前記全押し操作が検出されたことを契機として、前記撮像画像から生成される撮影画像に異なる処理を実行する、
ことを特徴とする請求項１乃至４の何れか１項に記載の撮像装置。
【請求項６】
前記判別手段による判別結果を、表示手段に識別可能に表示する制御を行う表示制御手段を、更に備える、
ことを特徴とする請求項１乃至５の何れか１項に記載の撮像装置。
【請求項７】
前記表示制御手段は、
前記撮像画像内に人物の顔が検出されている場合に、前記表示手段の人物の顔に該当する部分を識別可能に表示する制御を、更に行い、
前記判別手段により、ユーザによる前記所定の操作が検出された時点で、人物の顔が検出されていると判別された以降は、前記撮像画像内に人物の顔が検出されない場合であっても、前記表示手段の人物の顔に該当していた部分を識別可能に表示する制御を行う、
ことを特徴とする請求項６に記載の撮像装置。
【請求項８】
前記判別手段は、ユーザによる前記所定の操作が検出された時点で、前記撮像画像内に検出されている人物の顔に該当する人物が特定できるか否かを、更に判別し、
前記実行手段は、前記撮影が実行されたことを契機として、前記判別手段による判別結果に応じて、前記撮影された画像に異なる処理を、更に実行する、
ことを特徴とする請求項１乃至７の何れか１項に記載の撮像装置。
【請求項９】
前記実行手段は、前記撮影が実行されたことを契機として、前記判別手段により、検出されている人物の顔に該当する人物が特定できると判別された場合に、特定される人物に応じて、撮影された画像に異なる処理を、更に実行する、
ことを特徴とする請求項８に記載の撮像装置。
【請求項１０】
ユーザによる撮影の指示に応じて本撮影を実行する際に、本撮影前に撮像手段により取得される撮像画像内に、人物の顔が検出されているか否かを判定する判別手段と、
前記判別手段による判別結果に応じて、本撮影された画像に異なる処理を実行する実行手段と、
を備えることを特徴とする撮像装置。
【請求項１１】
前記実行手段は、前記判別手段により、ユーザによる撮影の指示に応じて本撮影を実行する際に、人物の顔が検出されていると判別された場合に、前記本撮影された画像を人物の顔が検出されている画像とした処理を実行する一方、判別されなかった場合に、当該本撮影された画像を人物の顔が検出されていない画像とした処理を実行する、
ことを特徴とする請求項１０に記載の撮像装置。
【請求項１２】
前記実行手段は、前記判別手段により、ユーザによる撮影の指示に応じて前記本撮影を実行する際に、人物の顔が検出されていると判別された場合に、前記本撮影された画像を他の装置に送信する処理を実行する一方、判別されなかった場合に、当該本撮影された画像を当該他の装置に送信する処理を実行しない、
ことを特徴とする請求項１１に記載の撮像装置。
【請求項１３】
前記判別手段による判別結果を、表示手段に識別可能に表示する制御を行う表示制御手段を、更に備え、
前記実行手段は、前記表示制御手段により、前記撮像画像内に人物の顔が検出されていると識別可能に表示されている場合に、前記本撮影された画像を前記他の装置に送信する処理を実行する、
ことを特徴とする請求項１２に記載の撮像装置。
【請求項１４】
撮像装置で実行される処理実行方法であって、
ユーザによる撮影の実行を伴わない所定の操作が検出された時点で、撮像手段により取得される撮像画像内に、人物の顔が検出されているか否かを判別する判別処理と、
撮影が実行されたことを契機として、前記判別処理による判別結果に応じて、撮影された画像に異なる処理を実行する実行処理と、
を含むことを特徴とする処理実行方法。
【請求項１５】
撮像装置で実行される処理実行方法であって、
ユーザによる撮影の指示に応じて本撮影を実行する際に、本撮影前に撮像手段により取得される撮像画像内に、人物の顔が検出されているか否かを判別する判別処理と、
前記判別処理による判別結果に応じて、本撮影された画像に異なる処理を実行する実行処理と、
を含むことを特徴とする処理実行方法。
【請求項１６】
撮像装置を制御するコンピュータに、
ユーザによる撮影の実行を伴わない所定の操作が検出された時点で、撮像手段により取得される撮像画像内に、人物の顔が検出されているか否かを判別する判別機能と、
撮影が実行されたことを契機として、前記判別機能による判別結果に応じて、撮影された画像に異なる処理を実行する実行機能と、
を実現させることを特徴とするプログラム。
【請求項１７】
撮像装置を制御するコンピュータに、
ユーザによる撮影の指示に応じて本撮影を実行する際に、本撮影前に撮像手段により取得される撮像画像内に、人物の顔が検出されているか否かを判別する判別機能と、
前記判別機能による判別結果に応じて、本撮影された画像に異なる処理を実行する実行機能と、
を実現させることを特徴とするプログラム。
【発明の詳細な説明】
【技術分野】
【０００１】
本発明は、撮像装置、処理実行方法及びプログラムに関する。
【背景技術】
【０００２】
従来より、撮影装置により撮影された画像を撮影した撮影装置だけではなく、他の外部装置でも活用することが行われている。特許文献１では、他の外部装置でも活用するために画像が撮影されると自動的に外部装置に送信する技術が開示されている。
【先行技術文献】
【特許文献】
【０００３】
【特許文献１】特開２００２−３４２４６５号公報
【発明の概要】
【発明が解決しようとする課題】
【０００４】
しかしながら、上述した特許文献１に開示された技術では、撮影された画像を全て送信することによる通信負荷や受信する外部装置の記憶容量への影響が懸念されるため、人物の顔が含まれる画像のみを送信することが考えられる。ユーザは人物の顔が含まれていると判別して撮影指示を行った場合であっても、実際に撮影処理が行われるタイミングとは時間差があるため、人物の顔の向きが変わるなどして撮影された画像を、装置が人物の顔が含まれない画像と判別して、送信されない場合があるという問題がある。
【０００５】
本発明は、このような状況に鑑みてなされたものであり、撮影される画像に人物の顔が含まれているか否かの判別に、ユーザによる判別を反映させることを目的とする。
【課題を解決するための手段】
【０００６】
上記目的を達成するため、本発明の一態様の撮像装置は、
ユーザによる撮影の実行を伴わない所定の操作が検出された時点で、撮像手段により取得される撮像画像内に、人物の顔が検出されているか否かを判別する判別手段と、
撮影が実行されたことを契機として、前記判別手段による判別結果に応じて、撮影された画像に異なる処理を実行する実行手段と、
を備えることを特徴とする。
【発明の効果】
【０００７】
本発明によれば、撮影される画像に人物の顔が含まれているか否かの判別に、ユーザによる判別を反映させることができる。
【図面の簡単な説明】
【０００８】
【図１】本発明の一実施形態に係る撮影システムＳのシステム構成を示すシステム構成図である。
【図２】本発明の一実施形態に係る撮影システムＳの撮像装置１及び携帯端末２のハードウェアの構成を示すブロック図である。
【図３】図２の撮像装置１の機能的構成のうち、撮影処理を実行するための機能的構成を示す機能ブロック図である。
【図４】図３の機能的構成を有する図２の撮像装置１が実行する撮影処理の流れを説明するフローチャートである。
【図５】図３の機能的構成を有する図２の撮像装置１が実行する撮影処理の他の流れを説明するフローチャートである。
【図６】第２の実施形態における撮影処理の他の流れを説明するフローチャートである。
【発明を実施するための形態】
【０００９】
以下、本発明の実施形態について、図面を用いて説明する。
【００１０】
＜第１の実施形態＞
図１は、本発明の一実施形態に係る撮影システムＳのシステム構成を示すシステム構成図である。
【００１１】
撮影システムＳは、図１に示すように、撮像装置１と携帯端末２とを備える。
撮像装置１と携帯端末２との間では、第１通信方式である低消費電力で近距離無線通信のＢＬＥ（Ｂｌｕｅｔｏｏｔｈ  ｌｏｗ  ｅｎｅｒｇｙ，「Ｂｌｕｅｔｏｏｔｈ」は登録商標）（商標）と、第２通信方式である大容量データ通信可能な近距離無線高速通信のＷｉ−Ｆｉ（Ｗｉｒｅｌｅｓｓ  Ｆｉｄｅｌｉｔｙ）の２種類の通信方式で通信を行う。ＢＬＥは、常時接続しており、一方のＷｉ−Ｆｉでは、大容量のデータをやり取りする際に、ＢＬＥ経由で撮像装置１からの接続指示に基づいて接続を確立するように構成される。
本実施形態においては、Ｗｉ−Ｆｉ通信経由で、撮像装置１で撮影された画像を携帯端末２に自動送信する。
【００１２】
図２は、本発明の一実施形態に係る撮影システムＳの撮像装置１及び携帯端末２のハードウェアの構成を示すブロック図である。
以下、まず、撮像装置１のハードウェアの構成について説明し、次いで、携帯端末２のハードウェアの構成について説明する。なお、撮像装置１のハードウェアの構成については、符号の末尾に「−１」を付すものとし、携帯端末２のハードウェアの構成については、符号の末尾に「−２」を付すものとする。
【００１３】
撮像装置１は、例えば、デジタルカメラとして構成される。
撮像装置１は、図２に示すように、ＣＰＵ（Ｃｅｎｔｒａｌ  Ｐｒｏｃｅｓｓｉｎｇ  Ｕｎｉｔ）１１−１と、ＲＯＭ（Ｒｅａｄ  Ｏｎｌｙ  Ｍｅｍｏｒｙ）１２−１と、ＲＡＭ（Ｒａｎｄｏｍ  Ａｃｃｅｓｓ  Ｍｅｍｏｒｙ）１３−１と、バス１４−１と、入出力インターフェース１５−１と、撮像部１６−１と、入力部１７−１と、出力部１８−１と、記憶部１９−１と、第１通信部２０−１と、第２通信部２１−１と、ドライブ２２−１と、を備えている。
【００１４】
ＣＰＵ１１−１は、ＲＯＭ１２−１に記録されているプログラム、又は、記憶部１９−１からＲＡＭ１３−１にロードされたプログラムに従って各種の処理を実行する。
【００１５】
ＲＡＭ１３−１には、ＣＰＵ１１−１が各種の処理を実行する上において必要なデータ等も適宜記憶される。
【００１６】
ＣＰＵ１１−１、ＲＯＭ１２−１及びＲＡＭ１３−１は、バス１４−１を介して相互に接続されている。このバス１４−１にはまた、入出力インターフェース１５−１も接続されている。入出力インターフェース１５−１には、撮像部１６−１、入力部１７−１、出力部１８−１、記憶部１９−１、第１通信部２０−１、第２通信部２１−１及びドライブ２２−１が接続されている。
【００１７】
撮像部１６−１は、図示はしないが、光学レンズ部と、イメージセンサと、を備えている。
【００１８】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１９】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６−１の出力信号として出力される。
このような撮像部１６−１の出力信号を、以下、「撮像画像のデータ」と呼ぶ。撮像画像のデータは、ＣＰＵ１１−１や図示しない画像処理部等に適宜供給される。
【００２０】
入力部１７−１は、各種釦等で構成され、ユーザの指示操作に応じて各種情報を入力する。
【００２１】
出力部１８−１は、ディスプレイやスピーカ等で構成され、画像や音声を出力する。
【００２２】
記憶部１９−１は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
【００２３】
第１通信部２０−１は、低速であるが省電力であり常時接続に適した第１通信方式で外部装置（本実施形態においては、携帯端末２）との間で行う通信を制御する。本実施形態においては、第１通信方式は、ＢＬＥの通信規格に基づいた通信方式を用いる。
【００２４】
第２通信部２１−１は、高速でありファイルの送受信に適した第２通信方式で外部装置（本実施形態においては、携帯端末２）との間で行う通信を制御する。本実施形態においては、第２通信方式は、無線ＬＡＮのうちＷｉ−Ｆｉの通信規格に基づいた通信方式を用いる。
【００２５】
ドライブ２２−１には、磁気ディスク、光ディスク、光磁気ディスク、或いは半導体メモリ等よりなる、リムーバブルメディア３１−１が適宜装着される。ドライブ２２−１によってリムーバブルメディア３１−１から読み出されたプログラムは、必要に応じて記憶部１９−１にインストールされる。また、リムーバブルメディア３１−１は、記憶部１９−１に記憶されている画像のデータ等の各種データも、記憶部１９−１と同様に記憶することができる。
【００２６】
携帯端末２は、例えば、スマートフォンとして構成される。
なお、携帯端末２において、撮像装置１と同様であるハードウェアの構成については、説明を省略する。即ち、撮像装置１のＣＰＵ１１−１乃至リムーバブルメディア３１−１と、ＣＰＵ１１−２乃至リムーバブルメディア３１−２とは同様であるため、説明を省略する。
【００２７】
以上のように構成される撮影システムＳでは、撮像装置１において、シャッタキーの半押し時（撮影仮指示時）に顔が検出された場合に、撮影した画像を携帯端末２に自動送信を行う機能を有する。このため、半押し時におけるユーザの認識で撮影が行われるために、仮に撮影指示時や撮影処理時に顔が画角内にない状態（顔が検出されない状態）であっても、ユーザの認識と異なる処理が行われない。具体的には、画像の自動送信を想定して、顔が検出されるようなアングルで半押しの操作をユーザが行った場合に、顔の向きが変わるなどして顔が検出されなくなった状態で撮影処理が行われた場合であっても、期待する画像の自動送信が行われなくなってしまうことがなく、ユーザの認識通りに画像の自動送信が行われる。
【００２８】
また、撮像装置１では、顔検出の有無に応じて、画像の自動送信の他にも、撮影した画像に対して美顔処理等の画像処理を実行する機能を有する。
即ち、撮像装置１では、例えば、顔検出がされた場合に、撮影した画像を携帯端末２に自動送信するようにしたり、撮影した画像に対して美顔処理等の画像処理を実行したりする。
【００２９】
さらに、撮像装置１では、撮影指示前には顔が検出されていた場合に、撮影指示時点において、顔が検出されていない状態となっていても、顔検出枠を顔が検出された時点の位置に表示する機能を有する。
これにより、ユーザが、顔が検出されているという認識の下で撮影指示を行っていた場合に、顔が検出されている状態で行う動作を実行することで、ユーザの顔が認識されていたという認識と、撮影に伴う処理の結果とを一致させることができ、ユーザの利便性を向上させることができる。
【００３０】
図３は、図２の撮像装置１の機能的構成のうち、撮影処理を実行するための機能的構成を示す機能ブロック図である。
撮影処理とは、撮影指示において撮影処理を行う一連の処理である。撮影処理においては、撮影指示前の顔検出の有無に応じて、撮影する画像に対する動作を変えて、撮影指示前に顔が検出された場合には、当該顔が検出された位置に対応して顔枠を表示し続けたり、撮影した画像を携帯端末２への自動送信を行ったりする。
【００３１】
撮像装置１で撮影処理を実行する場合には、図３に示すように、ＣＰＵ１１−１において、撮像制御部５１と、顔検出処理部５２と、表示制御部５３と、入力検出部５４と、設定処理部５５と、画像処理部５６と、通信制御部５７と、が機能する。
【００３２】
また、記憶部１９−１の一領域には、画像記憶部７１が設定される。
画像記憶部７１には、撮像部１６−１で撮影された画像のデータが記憶される。
【００３３】
撮像制御部５１は、撮影処理を実行するように撮像部１６−１を制御する。
具体的には、撮像制御部５１は、撮影処理の開始に伴って、ライブビュー撮影を行うように撮像部１６−１を制御する。ライブビュー撮影により、撮像部１６−１からライブビュー画像が逐次出力される。
また、撮像制御部５１は、顔が検出された場合に、当該状態での撮影の設定（露出設定やフォーカス調整位置、等）をロックするように撮像部１６−１を制御する。
また、撮像制御部５１は、ユーザによる入力部１７−１を介した撮影指示操作（本実施形態においては、後述する入力検出部５４により検出されるシャッタキーの全押し操作）に基づいて、撮影処理を実行するように撮像部１６−１を制御する。また、撮像制御部５１は、撮像部１６−１から画像（以下、「撮影画像」ともいう。）を取得する。
【００３４】
顔検出処理部５２は、画像に含まれる被写体から顔を検出する。
具体的には、顔検出処理部５２は、ライブビュー画像に含まれる被写体から人物の顔を検出する。人物の顔検出は、例えば、間引きされているライブビュー画像に対して行い、公知の技術を用いる。
また、顔検出処理部５２は、顔を検出したか否かの判定を行う。
【００３５】
表示制御部５３は、画像を表示するように出力部１８−１を制御する。
具体的には、表示制御部５３は、ライブビュー画像を表示し、ライブビュー画像上に、顔が検出された旨の識別表示となる枠（以下、「顔枠」という。）を表示するように出力部１８−１を制御する。詳細には、表示制御部５３は、顔が検出された場合には、顔に対応する位置に顔枠を表示し、さらに、顔を検出しない状態であっても、シャッタキーの半押し時に顔が検出されていた場合には、最後に顔枠が表示されていた位置に顔枠を表示するように出力部１８−１を制御する。
【００３６】
入力検出部５４は、入力部１７−１に対する操作を検出する。具体的には、入力検出部５４は、シャッタキーとして構成される入力部１７−１に対する半押し操作や全押し操作を検出する。
【００３７】
設定処理部５５は、撮影に関する各種の設定や撮影画像の設定を行う。
具体的には、設定処理部５５は、画像の自動送信設定のフラグをオン／オフしたり、撮影の設定をロックしたりする。設定処理部５５は、例えば、半押し操作時に顔が検出されていた場合に、画像の自動送信設定のフラグをオンしたり、全押し操作時にシャッタキーを離した場合に、画像の自動送信設定のフラグをオフしたりする。
【００３８】
画像処理部５６は、画像に対して、人物の顔を美化する画像処理である美顔処理を実行する。美顔処理は、種々の手法を用いることができ、公知の技術を採用することができる。
具体的には、画像処理部５６は、シャッタキーの半押し時に顔が検出されていた場合には、撮影画像に顔がない状態であっても、美顔処理を実行する。即ち、画像処理部５６は、自動送信の対象となった画像に対して、美顔処理を実行する。
【００３９】
通信制御部５７は、携帯端末２との間で通信を行うように第１通信部２０−１及び第２通信部２１−１を制御する。通信制御部５７は、第１通信部２０−１でＢＬＥを介して、Ｗｉ−Ｆｉでの通信を携帯端末２との間で確立したりするように第２通信部２１−１を制御し、Ｗｉ−Ｆｉ通信が確立した状態において、撮影画像を送信するように第２通信部２１−１を制御する。
具体的には、通信制御部５７は、携帯端末２に撮影画像をＷｉ−Ｆｉ経由で自動送信するように第２通信部２１−１を制御する。通信制御部５７は、シャッタキーの半押し時に顔を検出していた場合に、全押し時に顔が検出されなくても、撮影画像を自動送信するように第２通信部２１−１を制御する。
なお、本実施形態においては、撮影画像の自動送信の有無をフラグで管理する。
【００４０】
図４は、図３の機能的構成を有する図２の撮像装置１が実行する撮影処理の流れを説明するフローチャートである。
撮影処理は、ユーザによる入力部１７への撮影処理開始の操作により開始される。また、撮影処理の実行にあたり、通信制御部５７は、携帯端末２との間でＢＬＥ通信を行うように第１通信部２０−１を制御し、第１通信部２０−１において携帯端末２との間でのＷｉ−Ｆｉ通信が確立可能な状態となっている。また、撮像制御部５１は、ライブビュー撮影を実行するように撮像部１６−１を制御する。その結果、撮像部１６−１からライブビュー画像が逐次出力される。
【００４１】
ステップＳ１１において、顔検出処理部５２は、ライブビュー画像からの顔検出を開始する。
【００４２】
ステップＳ１２において、顔検出処理部５２は、顔を検出したか否かを判定する。
顔を検出した場合には、ステップＳ１２においてＹＥＳと判定されて、処理はステップＳ１４に進む。
これに対して、顔を検出していない場合には、ステップＳ１２においてＮＯと判定されて、処理はステップＳ１３に進む。
【００４３】
ステップＳ１３において、表示制御部５３は、顔が検出されていないため、ライブビュー表示において顔枠を非表示にするように出力部１８−１を制御する。その後、処理はステップＳ１５に進む。
【００４４】
ステップＳ１４において、表示制御部５３は、顔が検出されたため、該当する場所に顔枠を表示するように出力部１８−１を制御する。また、表示制御部５３は、直近に顔が検出されていた場合には、最後に顔を検出した場所に顔枠を表示するように出力部１８−１を制御する。
【００４５】
ステップＳ１５において、入力検出部５４は、入力部１７−１に対して、シャッタキーの半押し操作がされたか否かを判定する。
半押しされた場合には、ステップＳ１５においてＹＥＳと判定されて、処理はステップＳ１６に進む。
これに対して、半押されていない場合には、ステップＳ１５においてＮＯと判定されて、処理はステップＳ１２に戻る。
【００４６】
ステップＳ１６において、顔検出処理部５２は、顔を検出したか否かを判定する。
顔を検出していない場合には、ステップＳ１６においてＮＯと判定されて、処理はステップＳ１８に進む。
これに対して、顔を検出した場合には、ステップＳ１６においてＹＥＳと判定されて、処理はステップＳ１７に進む。
この時点で、顔検出処理部５２による顔の検出は停止する。
【００４７】
ステップＳ１７において、設定処理部５５は、これから撮影される画像に対して自動送信を行う旨のフラグ（以下、「転送フラグ」という。）をオンする。即ち、設定処理部５５は、シャッタキーの半押し状態において顔検出された場合に転送フラグをオンにする。したがって、実際の撮影時においては、顔の有無にかかわらず、シャッタキーの半押し状態のときの顔の有無で自動送信の有無が決定されることになる。
【００４８】
ステップＳ１８において、設定処理部５５は、撮影設定ロックする。即ち、設定処理部５５は、シャッタキーの半押しが入力検出部５４により検出された時点での、顔検出の有無により異なる撮影条件の設定を、シャッタキーの半押し状態においてロックする。したがって、実際の撮影時においては、顔の有無にかかわらず、シャッタキーの半押し状態のときの顔の有無の撮影設定が反映されることになる。
【００４９】
ステップＳ１９において、設定処理部５５は、転送フラグがオンであるか否かを判定する。
転送フラグがオンである場合には、ステップＳ１９においてＹＥＳと判定されて、処理はステップＳ２１に進む。
これに対して、転送フラグがオンでない場合には、ステップＳ１９においてＮＯと判定されて、処理はステップＳ２０に進む。
【００５０】
ステップＳ２０において、表示制御部５３は、顔が検出されていないため、ライブビュー表示において顔枠を非表示にするように出力部１８−１を制御する。
これにより、ユーザは、顔が検出されていないことによる撮影が行われると認識することになる。
【００５１】
ステップＳ２１において、表示制御部５３は、顔が検出されていたため、該当する場所に顔枠を表示するように出力部１８−１を制御する。また、表示制御部５３は、直近に顔が検出されていた場合には、最後に顔を検出した場所に顔枠を表示するように出力部１８−１を制御する。
これにより、ユーザは、顔が検出されたことによる撮影が行われると認識することになる。
【００５２】
ステップＳ２２において、入力検出部５４は、入力部１７−１に対して、シャッタキーの全押し操作がされたか否かを判定する。
全押しされた場合には、ステップＳ２２においてＹＥＳと判定されて、処理はステップＳ２４に進む。
半押しを維持したままで全押しされていない場合には、ステップＳ２２においてＮＯ（半押し）と判定されて、処理は待機状態となる。
これに対して、シャッタキーの操作を解除して離した場合には、ステップＳ２２においてＮＯ（離した）と判定されて、処理はステップＳ２３に進む。
【００５３】
ステップＳ２３において、設定処理部５５は、転送フラグをオフする。その後、処理はステップＳ１１に戻る。
【００５４】
ステップＳ２４において、撮像制御部５１は、撮影処理を実行するように撮像部１６−１を制御する。撮影処理の結果、撮像部１６−１から撮影画像が出力される。
【００５５】
ステップＳ２５において、設定処理部５５は、転送フラグがオンされているか否かを判定する。
転送フラグがオンされていない場合には、ステップＳ２５においてＮＯと判定されて、ステップＳ２６に進む。
【００５６】
ステップＳ２６において、撮像部１６−１から出力され、美顔処理が実行されない通常の撮影画像が画像記憶部７１に記憶される。その後、撮影処理は終了する。
【００５７】
これに対して、転送フラグがオンされている場合には、ステップＳ２５においてＹＥＳと判定されて、処理はステップＳ２７に進む。
【００５８】
ステップＳ２７において、画像処理部５６は、撮像部１６−１から出力された撮影画像に対して美顔処理を実行し、美顔処理が実行された撮影画像が、画像記憶部７１に記憶される。
【００５９】
ステップＳ２８において、通信制御部５７は、転送フラグに基づいて、美顔処理が実行された撮影画像を携帯端末２に転送するように第２通信部２１−１を制御する。その後、撮影処理は終了する。
【００６０】
＜変形例＞
本例では、上述した実施形態に加えて、人物の顔に該当する人物を特定し、人物に応じて異なる処理（例えば、男性の場合は自動送信するが美顔処理はせず、人物ごとに自動送信の実行有無、等）を実行する。
【００６１】
図３に示すように、記憶部１９の一領域には、人物情報記憶部７２が設けられる。
人物情報記憶部７２には、被写体において人物を特定可能な情報が記憶される。具体的には、人物情報記憶部７２には、人物のＩＤに性別と人物の顔の特徴情報を対応付けたテーブルが記憶される。
【００６２】
顔検出処理部５２は、入力検出部５４によりシャッタキーの半押し操作が検出されたタイミングで人物の顔検出と合わせて、人物情報記憶部７２を参照して、被写体の顔から人物が特定できるか否かを判定する。顔検出処理部５２は、人物が特定できた場合は、対応する人物ＩＤを記憶する。
また、顔検出処理部５２は、人物情報記憶部７２を参照して、特定した人物が女性であるか否かを判定する。
【００６３】
図５は、図３の機能的構成を有する図２の撮像装置１が実行する撮影処理の他の流れを説明するフローチャートである。なお、図５のステップＳ５１〜ステップＳ５７、ステップＳ６０〜ステップＳ６８の処理は、図４のステップＳ１１〜ステップＳ１７、ステップＳ１８〜２６の処理内容と同じであるため、説明を省略する。
【００６４】
ステップＳ５８において、顔検出処理部５２は、人物情報記憶部７２を参照して、顔を検出した対象において人物を特定したか否かを判定する。
人物を特定した場合には、ステップＳ５８においてＹＥＳと判定されて、処理はステップＳ５９に進む。
これに対して、人物を特定しなかった場合には、ステップＳ５８においてＮＯと判定されて、処理はステップＳ６０に進む。
【００６５】
ステップＳ５９において、顔検出処理部５２は、特定した人物に対する人物ＩＤを記憶する。その後、処理はステップＳ６０に進む。
【００６６】
ステップＳ６９において、顔検出処理部５２は、人物情報記憶部７２を参照し、記憶した人物ＩＤに基づいて、特定した人物が女性であるか否かを判定する。
特定した人物が女性の場合、或いは人物が特定できなかった場合には、ステップＳ６９においてＹＥＳと判定されて、処理はステップＳ７０に進む。ステップＳ７０において、撮像部１６−１から出力された、自動送信の対象となる撮影画像に美顔処理が施される。その後、処理はステップＳ７１に進む。ステップＳ７１において、美顔処理が施された撮影画像は画像記憶部７１に記憶される。その後、処理はステップＳ７２に進み、携帯端末２への美顔処理が施された撮影画像の自動送信が行われる。
これに対して、特定した人物が女性でない場合、即ち、特定した人物が男性である場合には、ステップＳ６９においてＮＯと判定されて、処理はステップＳ７１に進む。ステップＳ７１において、撮像部１６−１から出力された撮影画像は画像記憶部７１に記憶される。その後、処理はステップＳ７２に進み、携帯端末２への美顔処理が施されていない通常の撮影画像の自動送信が行われる。
【００６７】
なお、上述の変形例では、テーブルに人物ＩＤごとに、更に人物ごとに実行する処理（自動送信の実行有無、美顔処理の強度、等）を記憶し、人物が特定できた場合には、テーブルを参照して、人物ごとの処理を実行するようにしてもよい。
【００６８】
また、上述の変形例では、人物が特定できなかった場合に、美顔処理を施すようにしているが、美顔処理を施さないようにしてもよい。
【００６９】
したがって、撮像装置１では、シャッタキーの半押し操作時点で、人物の顔が検出されている場合は、全押し操作までの間に人物の顔が検出されなくなったとしても、全押し操作により撮影される画像に人物の顔が含まれているものとして処理する。また、撮像装置１では、シャッタキーの半押し操作時点で、人物の顔が検出されている場合は、全押し操作までの間に人物の顔が検出されなくなったとしても、それまで表示していた人物の顔の検出枠を維持する。
その結果、撮像装置１では、ユーザの操作時点の結果として顔の検出の有無から、その後の処理を異なるようにし、処理の実行時点の結果ではなく、ユーザの操作時点の結果に基づいて、その後の処理を行う。その結果、撮像装置１においては、撮影される画像に人物の顔が含まれているか否かの判別に、ユーザによる判別を反映させることができる。
【００７０】
従来より、撮像装置１においては、顔検出を使用して、顔に合わせた露出制御、顔に対しての画像処理、顔を判断した撮影後の動作（例えば、顔を検出していたら所定の場所へ転送する）等の技術があった。
しかしながら、顔検出はフレーム単位で行うことが多く、キャプチャのタイミングでたまたま顔の検出に失敗すると、それまで顔の検出に成功していても、顔が検出されなかったものとみなしてその後の処理をしてしまう。このため見た目も含めて動作の整合が取れなくなる（例えば、顔検出した画像を特定の場所へ転送するときに、撮影のタイミングでたまたま顔が検出できない場合、その画像が転送されなくなる）という問題があった。また、顔検出の精度が今後向上したとしても、人物の顔が後ろ向きになってしまったような場合に、人物の顔として検出してよいか否かの判別が装置には困難であるという問題もある。
【００７１】
そこで、本実施形態の撮像装置１においては、ＲＥＣモードで顔を検出した状態で撮影しても、撮影の瞬間に顔を見失うと、顔を検出されていないと判定されてしまうことがある。それを回避するために、シャッタキーを半押ししたタイミングで顔検出を行い、顔が検出された場合は、シャッタキーを全押しして撮影処理が実行されたタイミングで顔が検出されなくても、顔がいるものとみなして撮影後の動作を行う。
即ち、撮像装置１では、顔検出の判断について、シャッタキーの半押しと全押しによる撮影処理のタイミングで判断するときにシャッタキーの半押しのタイミングでの判断を優先する。シャッタキーの半押しのタイミングでの判断を優先することにより、全押しのタイミングでたまたま顔の検出に失敗しても、半押しのタイミングの判断が優先されることで、見た目の動作の整合性を保持することができる。
【００７２】
＜第２の実施形態＞
上述した実施形態では、シャッタキーの半押し時における顔の検出の有無に応じた処理（撮影設定や自動送信設定）を、全押し後の処理（撮影設定や自動送信設定）に反映させるように構成した。
本実施形態では、シャッタキーの全押し操作時点における顔の検出の有無に応じて、撮影画像において顔が含まれないものであっても、顔の検出の有無に応じた処理（撮影設定や自動送信設定）を反映させるように構成する。シャッタキーの全押し時点で、例えば、人物の顔が検出されている（人物の顔の検出枠が表示されている）場合は、実際に本撮影される画像に人物の顔が検出されなくなったとしても、本撮影される画像に人物の顔が含まれているものとして処理する。
【００７３】
図６は、第２の実施形態における撮影処理の他の流れを説明するフローチャートである。なお、図６のステップＳ９１〜ステップＳ９５、ステップＳ９８、ステップＳ１０２〜ステップＳ１０５の処理は、図４のステップＳ１１〜ステップＳ１５、ステップＳ２３、ステップＳ２５〜ステップＳ２８の処理内容と同じであるため説明を省略する。
【００７４】
ステップＳ９６において、設定処理部５５は、半押し操作を検出したら撮影設定をロックする。
【００７５】
ステップＳ９７において、入力検出部５４は、入力部１７−１に対して、シャッタキーの全押し操作がされたか否かを判定する。
シャッタキーが全押しされた場合には、ステップＳ９７においてＹＥＳと判定されて、処理はステップＳ９８に進む。
半押しを維持したままで全押しされていない場合には、ステップＳ９７においてＮＯ（半押し）と判定されて、処理は待機状態となる。
これに対して、シャッタキーの操作を解除して離した場合には、ステップＳ９７においてＮＯ（離した）と判定されて、処理はステップＳ９８に進み、その後、ステップＳ９１に戻る。
【００７６】
ステップＳ９９において、顔検出処理部５２は、顔を検出したか否かを判定する。
顔を検出していない場合には、ステップＳ９９においてＮＯと判定されて、処理はステップＳ１０１に進む。
これに対して、顔を検出した場合には、ステップＳ９９においてＹＥＳと判定されて、処理はステップＳ１００に進む。
【００７７】
ステップＳ１００において、設定処理部５５は、転送フラグをオンする。即ち、設定処理部５５は、シャッタキーの全押し状態において顔検出された場合に転送フラグをオンにする。したがって、顔検出処理部５２による顔検出とは異なるタイミングで実行される実際の本撮影時においては、顔の有無にかかわらず、シャッタキーの全押し状態のときの顔の有無で自動送信の有無が決定されることになる。その後、撮影処理が行われる。そして、転送フラグがオンの場合には、美顔処理が撮影画像に施されて、画像記憶部７１に記憶されて、その後自動送信が行われる。また、転送フラグのオフの場合には、美顔処理を施さずに撮影画像が画像記憶部７１に記憶される。
【００７８】
以上のように構成される撮像装置１は、顔検出処理部５２と、通信制御部５７と、画像処理部５６と、を備える。
顔検出処理部５２は、ユーザによる撮影の実行を伴わない所定の操作が検出された時点で、撮像部１６−１により取得される撮像画像内に、人物の顔が検出されているか否かを判別する。
通信制御部５７・画像処理部５６は、撮影が実行されたことを契機として、顔検出処理部５２による判別結果に応じて、撮影された画像に異なる処理を実行する。
これにより、撮像装置１においては、撮影された画像に人物の顔が含まれているか否かの判別に、ユーザによる判別を反映させることでき、更に処理負荷を軽減できる。
【００７９】
通信制御部５７・画像処理部５６は、撮影が実行されたことを契機として、顔検出処理部５２により、ユーザによる所定の操作が検出された時点で、人物の顔が検出されていると判別された場合に、撮影された画像を人物の顔が検出されている画像とした処理を実行する一方、判別されなかった場合に、当該撮影された画像を人物の顔が検出されていない画像とした処理を実行する。
これにより、撮像装置１においては、人物の顔の検出の有無に応じて、撮影された画像に対する処理を変えることができる。
【００８０】
通信制御部５７は、撮影が実行されたことを契機として、顔検出処理部５２により、ユーザによる所定の操作が検出された時点で、人物の顔が検出されていると判別された場合に、撮影された画像を他の装置に送信する処理を実行する一方、判別されなかった場合に、当該撮影された画像を当該他の装置に送信する処理を実行しない。
これにより、撮像装置１においては、ユーザの所定の操作結果の認識から期待される処理（撮影された画像の自動送信）を、処理時点での状態にかかわらず行うことができる。
【００８１】
画像処理部５６は、撮影が実行されたことを契機として、顔検出処理部５２により、ユーザによる所定の操作が検出された時点で、人物の顔が検出されていると判別された場合に、撮影された画像に対して人物の顔を美化する画像処理を実行する一方、判別されなかった場合に、当該撮影された画像に対して当該人物の顔を美化する画像処理を実行しない。
これにより、撮像装置１においては、ユーザの所定の操作結果の認識から期待される処理（美化する画像処理）を、処理時点での状態にかかわらず行うことができる。
【００８２】
また、撮像装置１は、半押し操作と全押し操作とが可能な入力部１７−１を、更に備える。
顔検出処理部５２は、ユーザによる入力部１７−１の半押し操作が検出された時点で、撮像画像内に、人物の顔が検出されているか否かを判別する。
通信制御部５７・画像処理部５６は、ユーザによる入力部１７−１の全押し操作が検出されたことを契機として、撮像画像から生成される撮影画像に異なる処理を実行する。
これにより、撮像装置１においては、半押し操作時点での認識と一致する処理結果となるために、実際の状態にかかわらず、ユーザの意図する処理を実行することができる。
【００８３】
また、撮像装置１は、顔検出処理部５２による判別結果を、出力部１８−１に識別可能に表示する制御を行う表示制御部５３を、更に備える。
これにより、撮像装置１においては、判別結果をユーザが目視で認識することができる。
【００８４】
表示制御部５３は、撮像画像内に人物の顔が検出されている場合に、出力部１８−１の人物の顔に該当する部分を識別可能に表示する制御を、更に行う。
また、表示制御部５３は、顔検出処理部５２により、ユーザによる所定の操作が検出された時点で、人物の顔が検出されていると判別された以降は、撮像画像内に人物の顔が検出されない場合であっても、出力部１８−１の人物の顔に該当していた部分を識別可能に表示する制御を行う。
これにより、撮像装置１においては、所定の操作時点のユーザの認識に一致した表示を行うことができる。
【００８５】
顔検出処理部５２は、ユーザによる所定の操作が検出された時点で、撮像画像内に検出されている人物の顔に該当する人物が特定できるか否かを、更に判別する。
通信制御部５７・画像処理部５６は、撮影が実行されたことを契機として、顔検出処理部５２による判別結果に応じて、撮影された画像に異なる処理を、更に実行する。
これにより、撮像装置１においては、判別結果に応じた処理を実行することができる。
【００８６】
通信制御部５７・画像処理部５６は、撮影が実行されたことを契機として、顔検出処理部５２により、検出されている人物の顔に該当する人物が特定できると判別された場合に、特定される人物に応じて、撮影された画像に異なる処理を、更に実行する。
これにより、撮像装置１においては、特定した人物に応じた判別結果に応じた処理を実行することができる。
【００８７】
顔検出処理部５２は、ユーザによる撮影の指示に応じて本撮影を実行する際に、本撮影前に撮像部１６−１により取得される撮像画像内に、人物の顔が検出されているか否かを判定する。
通信制御部５７・画像処理部５６は、顔検出処理部５２による判別結果に応じて、本撮影された画像に異なる処理を実行する。
これにより、撮像装置１においては、本撮影された画像に人物の顔が含まれているか否かの判別に、ユーザによる判別を反映させることでき、更に処理負荷を軽減できる。また、撮影指示操作時点での認識と一致する処理結果となるために、実際の状態にかかわらず、ユーザの意図する処理を実行することができる。
【００８８】
通信制御部５７・画像処理部５６は、顔検出処理部５２により、ユーザによる撮影の指示に応じて本撮影を実行する際に、人物の顔が検出されていると判別された場合に、本撮影された画像を人物の顔が検出されている画像とした処理を実行する一方、判別されなかった場合に、当該本撮影された画像を人物の顔が検出されていない画像とした処理を実行する。
これにより、撮像装置１においては、人物の顔の検出の有無に応じて、本撮影された画像に対する処理を変えることができる。
【００８９】
通信制御部５７は、顔検出処理部５２により、ユーザによる撮影の指示に応じて本撮影を実行する際に、人物の顔が検出されていると判別された場合に、本撮影された画像を他の装置に送信する処理を実行する一方、判別されなかった場合に、当該本撮影された画像を当該他の装置に送信する処理を実行しない。
これにより、撮像装置１においては、ユーザの所定の操作結果の認識から期待される処理（撮影された画像の自動送信）を、処理時点での状態にかかわらず行うことができる。
【００９０】
表示制御部５３は、顔検出処理部５２による判別結果を、出力部１８−１に識別可能に表示する制御を行う。
通信制御部５７は、表示制御部５３により、撮像画像内に人物の顔が検出されていると識別可能に表示されている場合に、本撮影された画像を他の装置に送信する処理を実行する。
これにより、撮像装置１においては、表示状態に応じた処理（画像の自動送信）を実行することができる。
【００９１】
なお、本発明は、上述の実施形態に限定されるものではなく、本発明の目的を達成できる範囲での変形、改良等は本発明に含まれるものである。
【００９２】
上述の実施形態では、転送フラグを立てた後も顔検出処理部５２による人物の顔検出処理を継続してもよい。これにより、ユーザがシャッタキーの半押しを解除しても速やかに人物の顔検出処理を行うことができる。
【００９３】
また、上述の実施形態では、転送フラグが立っている状態で撮影され、自動送信された画像に人物の顔が含まれていることを示す情報を付加して記録するように構成することができる。これにより、以降、記録済みの画像を画像からの人物の顔の検出が不要となる。
【００９４】
また、上述の実施形態では、人物の顔が検出されているか否か、或いは特定される人物に応じて、撮像装置内の撮影画像を保存する領域（フォルダ）を異ならせるようにしてもよい。
【００９５】
また、上述の実施形態では、所定の操作は、シャッタキーと独立した、例えば、［ＡＥＬ］キーのような操作キーによる操作であってもよい。
【００９６】
また、上述の実施形態では、本発明が適用される撮像装置１は、デジタルカメラを例として説明したが、特にこれに限定されない。
例えば、本発明は、撮影処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００９７】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００９８】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００９９】
このようなプログラムを含む記録媒体は、ユーザにプログラムを提供するために装置本体とは別に配布される図２のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部１９に含まれるハードディスク等で構成される。
【０１００】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【０１０１】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【０１０２】
以下に、本願の出願当初の特許請求の範囲に記載された発明を付記する。
［付記１］
ユーザによる撮影の実行を伴わない所定の操作が検出された時点で、撮像手段により取得される撮像画像内に、人物の顔が検出されているか否かを判別する判別手段と、
撮影が実行されたことを契機として、前記判別手段による判別結果に応じて、撮影された画像に異なる処理を実行する実行手段と、
を備えることを特徴とする撮像装置。
［付記２］
前記実行手段は、前記撮影が実行されたことを契機として、前記判別手段により、ユーザによる前記所定の操作が検出された時点で、人物の顔が検出されていると判別された場合に、前記撮影された画像を人物の顔が検出されている画像とした処理を実行する一方、判別されなかった場合に、当該撮影された画像を人物の顔が検出されていない画像とした処理を実行する、
ことを特徴とする付記１に記載の撮像装置。
［付記３］
前記実行手段は、前記撮影が実行されたことを契機として、前記判別手段により、ユーザによる前記所定の操作が検出された時点で、人物の顔が検出されていると判別された場合に、前記撮影された画像を他の装置に送信する処理を実行する一方、判別されなかった場合に、当該撮影された画像を当該他の装置に送信する処理を実行しない、
ことを特徴とする付記２に記載の撮像装置。
［付記４］
前記実行手段は、前記撮影が実行されたことを契機として、前記判別手段により、ユーザによる前記所定の操作が検出された時点で、人物の顔が検出されていると判別された場合に、前記撮影された画像に対して人物の顔を美化する画像処理を実行する一方、判別されなかった場合に、当該撮影された画像に対して当該人物の顔を美化する画像処理を実行しない、
ことを特徴とする付記２又は３に記載の撮像装置。
［付記５］
半押し操作と全押し操作とが可能な操作手段を、更に備え、
前記判別手段は、ユーザによる前記操作手段の前記半押し操作が検出された時点で、前記撮像画像内に、人物の顔が検出されているか否かを判別し、
前記実行手段は、ユーザによる前記操作手段の前記全押し操作が検出されたことを契機として、前記撮像画像から生成される撮影画像に異なる処理を実行する、
ことを特徴とする付記１乃至４の何れか１つに記載の撮像装置。
［付記６］
前記判別手段による判別結果を、表示手段に識別可能に表示する制御を行う表示制御手段を、更に備える、
ことを特徴とする付記１乃至５の何れか１つに記載の撮像装置。
［付記７］
前記表示制御手段は、
前記撮像画像内に人物の顔が検出されている場合に、前記表示手段の人物の顔に該当する部分を識別可能に表示する制御を、更に行い、
前記判別手段により、ユーザによる前記所定の操作が検出された時点で、人物の顔が検出されていると判別された以降は、前記撮像画像内に人物の顔が検出されない場合であっても、前記表示手段の人物の顔に該当していた部分を識別可能に表示する制御を行う、
ことを特徴とする付記６に記載の撮像装置。
［付記８］
前記判別手段は、ユーザによる前記所定の操作が検出された時点で、前記撮像画像内に検出されている人物の顔に該当する人物が特定できるか否かを、更に判別し、
前記実行手段は、前記撮影が実行されたことを契機として、前記判別手段による判別結果に応じて、前記撮影された画像に異なる処理を、更に実行する、
ことを特徴とする付記１乃至７の何れか１つに記載の撮像装置。
［付記９］
前記実行手段は、前記撮影が実行されたことを契機として、前記判別手段により、検出されている人物の顔に該当する人物が特定できると判別された場合に、特定される人物に応じて、撮影された画像に異なる処理を、更に実行する、
ことを特徴とする付記８に記載の撮像装置。
［付記１０］
ユーザによる撮影の指示に応じて本撮影を実行する際に、本撮影前に撮像手段により取得される撮像画像内に、人物の顔が検出されているか否かを判定する判別手段と、
前記判別手段による判別結果に応じて、本撮影された画像に異なる処理を実行する実行手段と、
を備えることを特徴とする撮像装置。
［付記１１］
前記実行手段は、前記判別手段により、ユーザによる撮影の指示に応じて本撮影を実行する際に、人物の顔が検出されていると判別された場合に、前記本撮影された画像を人物の顔が検出されている画像とした処理を実行する一方、判別されなかった場合に、当該本撮影された画像を人物の顔が検出されていない画像とした処理を実行する、
ことを特徴とする付記１０に記載の撮像装置。
［付記１２］
前記実行手段は、前記判別手段により、ユーザによる撮影の指示に応じて前記本撮影を実行する際に、人物の顔が検出されていると判別された場合に、前記本撮影された画像を他の装置に送信する処理を実行する一方、判別されなかった場合に、当該本撮影された画像を当該他の装置に送信する処理を実行しない、
ことを特徴とする付記１１に記載の撮像装置。
［付記１３］
前記判別手段による判別結果を、表示手段に識別可能に表示する制御を行う表示制御手段を、更に備え、
前記実行手段は、前記表示制御手段により、前記撮像画像内に人物の顔が検出されていると識別可能に表示されている場合に、前記本撮影された画像を前記他の装置に送信する処理を実行する、
ことを特徴とする付記１２に記載の撮像装置。
［付記１４］
撮像装置で実行される処理実行方法であって、
ユーザによる撮影の実行を伴わない所定の操作が検出された時点で、撮像手段により取得される撮像画像内に、人物の顔が検出されているか否かを判別する判別処理と、
撮影が実行されたことを契機として、前記判別処理による判別結果に応じて、撮影された画像に異なる処理を実行する実行処理と、
を含むことを特徴とする処理実行方法。
［付記１５］
撮像装置で実行される処理実行方法であって、
ユーザによる撮影の指示に応じて本撮影を実行する際に、本撮影前に撮像手段により取得される撮像画像内に、人物の顔が検出されているか否かを判別する判別処理と、
前記判別処理による判別結果に応じて、本撮影された画像に異なる処理を実行する実行処理と、
を含むことを特徴とする処理実行方法。
［付記１６］
撮像装置を制御するコンピュータに、
ユーザによる撮影の実行を伴わない所定の操作が検出された時点で、撮像手段により取得される撮像画像内に、人物の顔が検出されているか否かを判別する判別機能と、
撮影が実行されたことを契機として、前記判別機能による判別結果に応じて、撮影された画像に異なる処理を実行する実行機能と、
を実現させることを特徴とするプログラム。
［付記１７］
撮像装置を制御するコンピュータに、
ユーザによる撮影の指示に応じて本撮影を実行する際に、本撮影前に撮像手段により取得される撮像画像内に、人物の顔が検出されているか否かを判別する判別機能と、
前記判別機能による判別結果に応じて、本撮影された画像に異なる処理を実行する実行機能と、
を実現させることを特徴とするプログラム。
【符号の説明】
【０１０３】
１・・・撮像装置，２・・・携帯端末，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・第１通信部，２１・・・第２通信部，２２・・・ドライブ，３１・・・リムーバブルメディア，５１・・・撮像制御部，５２・・・顔検出処理部，５３・・・表示制御部，５４・・・入力検出部，５５・・・設定処理部，５６・・・画像処理部，５７・・・通信制御部，７１・・・画像記憶部，７２・・・人物情報記憶部，Ｓ・・・撮影システム
【図１】
2017135453.tif 000003
【図２】
2017135453.tif 000004
【図３】
2017135453.tif 000005
【図４】
2017135453.tif 000006
【図５】
2017135453.tif 000007
【図６】
2017135453.tif 000008